(57)【特許請求の範囲】
【請求項１】
基材に印刷された色インキ層上に、アクリル樹脂１００重量部に対しシリコーン系の滑り剤を０．１〜１．０重量部含有せしめたニス層による非潜像部と、マットインキ層による潜像部とが形成されており、表面を鉛筆で擦ることで該潜像部が現れることを特徴とする鉛筆出し印刷物。
【請求項２】
前記色インキ層上に前記ニス層が形成されており、該ニス層上にマットインキ層による潜像パターンが形成されていることを特徴とする請求項１に記載の鉛筆出し印刷物。
【請求項３】
前記色インキ層上に、前記ニス層とマットインキ層が塗り分けて形成されていることを特徴とする請求項１に記載の鉛筆出し印刷物。
【請求項４】
前記色インキ層上に前記マットインキ層が形成されており、該マットインキ層上に、前記ニス層による非潜像パターンが形成されていることを特徴とする請求項１に記載の鉛筆出し印刷物。
【請求項５】
前記マットインキ層を形成するマットインキとして、少なくとも、硝化綿及びウレタンを主成分とする樹脂、マット剤、艶出し剤としての有機系フィラー及び溶剤からなるマットインキを用いたことを特徴とする請求項１乃至４のいずれか一項に記載の鉛筆出し印刷物。
【請求項６】
前記マットインキは、前記マット剤を１〜１０重量％の割合で含有するマットインキであることを特徴とする請求項５に記載の鉛筆出し印刷物。
【発明の詳細な説明】
【０００１】
【発明の属する技術分野】
本発明は、鉛筆で擦ることにより画像が現れる印刷物に関し、特に色インキ層による絵柄の上に潜像画像を形成した鉛筆出し印刷物に関する。
【０００２】
【従来の技術】
鉛筆出し印刷の基本原理は、透明なマットインキを用いて潜像的に画像を印刷しておき、これを鉛筆で非潜像部も含めて全面的に塗り潰すと、マット剤に鉛筆の粉が付着し潜像画像が現れてくる仕掛けである。
【０００３】
従来の一般的な鉛筆出し印刷物は、板紙上に絵柄部と白窓部からなる色インキ層と、この白窓部上に位置する透明な潜像画像を形成するマットインキ層で構成されている。
【０００４】
【発明が解決しようとする課題】
従来の一般的な鉛筆出し印刷物では、白窓部に潜像画像を形成することにより、鉛筆の粉（黒鉛）による黒と白窓部の白のコントラストによって、画像を識別し易くしていた。
【０００５】
しかしながら、従来の鉛筆出し印刷物では、潜像画像以外の上にも鉛筆の粉が付着し易く、潜像画像を明瞭に顕像化することが難しかった。
【０００６】
また、例えばスナック菓子のような菓子の紙器（固装）に隠し文字や隠し絵柄を設ける場合、紙器には当然絵柄が印刷されており、隠し印刷のためにわざわざ白窓部を設けることは、デザインを制約し、商品イメージと合致しにくくなるケースが多い。
【０００７】
本発明は、上記事情に鑑み、下地に絵柄が印刷してあるものに対しても明瞭な鉛筆出しができる印刷物を提供することを目的とするものである。
【０００８】
【課題を解決するための手段】
本発明者は、鉛筆出し印刷物の非潜像部を形成するＯＰニス層に用いる材料に関し鋭意研究を重ねた結果、アクリル樹脂は鉛筆での筆記性が悪く、即ち鉛筆の粉が付着し難く、さらにシリコーン系の滑り剤を特定量添加することにより、絵柄印刷の色インキ層やマットインキ層との密着性を確保しつつ、鉛筆での筆記性を更に低下させることができることを知見し、本発明に至ったものである。
【０００９】
すなわち、本発明の鉛筆出し印刷物は、基材に印刷された色インキ層上に、アクリル樹脂１００重量部に対しシリコーン系の滑り剤を０．１〜１．０重量部含有せしめたニス層による非潜像部と、マットインキ層による潜像部とが形成されており、表面を鉛筆で擦ることで該潜像部が現れることを特徴とするものである。
【００１０】
上記本発明の鉛筆出し印刷物は、更なる特徴として、
「前記色インキ層上に前記ニス層が形成されており、該ニス層上にマットインキ層による潜像パターンが形成されていること」、
「前記色インキ層上に、前記ニス層とマットインキ層が塗り分けて形成されていること」、
「前記色インキ層上に前記マットインキ層が形成されており、該マットインキ層上に、前記ニス層による非潜像パターンが形成されていること」、
「前記マットインキ層を形成するマットインキとして、少なくとも、硝化綿及びウレタンを主成分とする樹脂、マット剤、艶出し剤としての有機系フィラー及び溶剤からなるマットインキを用いたこと」、
「前記マットインキは、前記マット剤を１〜１０重量％の割合で含有するマットインキであること」、
を含むものである。
【００１１】
【発明の実施の形態】
以下、図面を用いて本発明の鉛筆出し印刷物の実施形態を説明する。
【００１２】
図１は、本発明の鉛筆出し印刷物の第１の実施形態に係る断面図であり、１は印刷基材、２は絵柄等を形成する色インキ層、３はＯＰニス層、４は潜像パターンを形成するマットインキ層である。
【００１３】
本実施形態では、色インキ層２上にニス層３を形成し、このニス層３上にマットインキ層４による潜像パターンを形成している。即ち、マットインキ層４が形成されていないニス層３の領域が非潜像部を形成しているものである。
【００１４】
印刷基材１としては、色インキによって絵柄を印刷できるものであれば特に限定されないが、通常は紙若しくはプラスチックが用いられる。
【００１５】
ニス層３には、アクリル樹脂１００重量部に対しシリコーン系の滑り剤を０．１〜１．０重量部添加したものを用いる。かかるアクリル樹脂は鉛筆での筆記性が悪く、特にシリコーン系の滑り剤を上記割合で添加することにより、色インキ層２及びマットインキ層４との密着性低下を抑えつつ、鉛筆での筆記性がより一層低下する。アクリル樹脂１００重量部に対しシリコーン系の滑り剤が０．１重量部未満であると筆記性を低下させる効果が十分に得られず、逆に１．０重量部を超えると色インキ層２及びマットインキ層４との密着性が悪くなると共に、印刷物の表面が非常に滑り易くなり、例えばスナック菓子のような菓子の紙器に適用した場合に内容物の充填工程等で作業性に悪影響を与えることがある。
【００１６】
マットインキ層４には、硝化綿及びウレタン等を主成分とする樹脂成分、マット剤、各種助剤、溶剤等からなる透明なマットインキが用いられる。このマットインキの組成は、例えばマットインキ層４の硬度、透明性、凹凸状態によって適宜選択される。
【００１７】
上記マット剤としては、鉛筆（例えば２Ｂ）の硬度よりも大きな硬度を有する微粉末であれば特に限定されるものではなく、例えば二酸化珪素、酸化チタン、酸化アルミニウム、酸化クロム、硫酸バリウム、炭酸カルシウム、炭酸マグネシウム等の無機微粉末を用いることができる。かかるマット剤は、マットインキ中に１〜１０重量％の割合で含有せしめるのが好ましく、さらに好ましくは１〜５重量％、特に好ましくは１．５〜３重量％である。マット剤が１重量％未満であると鉛筆出しが困難であり、逆に１０重量％を超えるとマット性が高過ぎてマットインキによる潜像が透けて見え易くなる。
【００１８】
また、マットインキには、マットインキによる潜像が見えにくくするために、マット効果を弱めるための艶出し剤として例えば有機系フィラー等を含有せしめるのが好ましい。
【００１９】
図１に示したような本発明の鉛筆出し印刷物の表面を鉛筆（例えば２Ｂ）で擦ると、潜像パターンを形成しているマットインキ層４上には鉛筆の粉５が付着し、マットインキ層４が形成されていないニス層３の領域には鉛筆の粉が殆ど付着しない。
【００２０】
このように本発明の鉛筆出し印刷物では、マットインキ層４上のみが黒色になり、潜像パターンが顕著に顕像化されるため、下地に色インキ層２による絵柄が印刷されていても明瞭な鉛筆出しが可能である。
【００２１】
次に、本発明の鉛筆出し印刷物の第２の実施形態を説明する。
【００２２】
図２は、本発明の鉛筆出し印刷物の第２の実施形態に係る断面図であり、色インキ層２上に、ニス層３とマットインキ層４が塗り分けて形成されている以外は、各層の材料等も含めて第１の実施形態と同様である。即ち、本実施形態においては、非潜像部となるニス層３と潜像部となるマットインキ層４とを共に色インキ層２上に形成しているものである。
【００２３】
第１の実施形態では、色インキ層２上にニス層３をベタで形成し、このニス層３上にマットインキ層４による潜像パターンを形成しているため、マットインキ層４とニス層３との密着性の心配があるが、本実施形態のような構成を採ることにより、かかる心配が薄れる。このため、ニス層３中へのシリコーン等の滑り剤の添加量を増すことができ、非潜像部の鉛筆筆記性をより一層低下させることができる。
【００２４】
また、非潜像部であるニス層３と潜像部であるマットインキ層４が平坦化されるため、潜像パターンが見えにくくなる効果もある。
【００２５】
次に、本発明の鉛筆出し印刷物の第３の実施形態を説明する。
【００２６】
図３は、本発明の鉛筆出し印刷物の第３の実施形態に係る断面図であり、色インキ層２上にマットインキ層４を形成し、このマットインキ層４上にニス層３による非潜像パターンを形成している以外は、各層の材料等も含めて第１の実施形態と同様である。即ち、本実施形態においては、ニス層３が形成されていないマットインキ層４の領域が潜像部を形成しているものである。
【００２７】
本実施形態においても、表面を鉛筆（例えば２Ｂ）で擦ると、ニス層３上には鉛筆の粉が殆ど付着せず、ニス層３が形成されていないマットインキ層４の領域には鉛筆の粉５が付着し潜像パターンが顕著に顕像化されるため、下地に色インキ層２による絵柄が印刷されていても明瞭な鉛筆出しが可能である。
【００２８】
【実施例】
以下、本発明の実施例を説明するが、本発明はこれらの実施例に限定されるものではない。
【００２９】
（実施例１）
本実施例は、スナック菓子の紙器（固装）に、図１に示したようにして隠し文字や、隠し絵柄を形成した例である。
【００３０】
このような包装の紙器には、当然絵柄が印刷されており、隠し印刷のためにわざわざ白地を設けることは、包装体のデザインを制約し、商品イメージと合致しにくくなるケースが多い。
【００３１】
本実施例では、白地を残すことなく一般紙器用板紙１上に所望の絵柄印刷（色インキ層２）を行った。
【００３２】
ＯＰニス層３には、アクリル樹脂１００重量に対してシリコーン系の滑り剤を０．１〜０．５重量部添加したものを用いた。
【００３３】
潜像部にあたるマットインキ層４には、以下の組成のものを用いた。
0004406129.tif 000002
以上のようにして作製した本実施例の鉛筆出し印刷物の表面を２Ｂ、ＨＢ、Ｈの鉛筆でそれぞれ擦ったところ、いずれの場合にも潜像パターンが顕著に顕像化された。
【００３４】
（実施例２）
本実施例は、スナック菓子の紙器（固装）に、図２に示したようにして隠し文字や、隠し絵柄を形成した例である。
【００３５】
本実施例では、白地を残すことなく一般紙器用板紙１上に所望の絵柄印刷（色インキ層２）を行った後、マットインキ層４の柄（潜像）に相当する部分を抜いて下地ＯＰニス層３を印刷し、次にこの抜き柄にマットインキ層４を印刷した。尚、ＯＰニス層３には、アクリル樹脂１００重量部に対してシリコーン系の滑り剤を０．５〜１．０重量部添加したものを用い、マットインキには実施例１と同じものを用いた。
【００３６】
以上のようにして作製した本実施例の鉛筆出し印刷物の表面を２Ｂ、ＨＢ、Ｈの鉛筆でそれぞれ擦ったところ、実施例１に比べてＯＰニス層への鉛筆筆記性をより抑えることができ、潜像パターンがより一層顕著に顕像化された。
【００３７】
また、本実施例の鉛筆出し印刷物では、鉛筆出しの潜像部がどこにあるのか非常にわかりにくく、遊び性を高めることができた。
【００３８】
【発明の効果】
本発明の鉛筆出し印刷物は以上説明した通りのものであり、次の効果を奏するものである。
（１）表面を鉛筆で擦った際に、非潜像部であるＯＰニス層には鉛筆の粉が殆ど付着せず、マットインキ層上のみが黒色になるため、潜像パターンが顕著に顕像化される。このため、下地に色インキ層による絵柄が印刷されていても明瞭な鉛筆出しが可能であり、例えばスナック菓子のような菓子の紙器におけるデザイン的な制約を少なくすることができ、用途が拡大し、極めて実用性が高い。
（２）特に、色インキ層上に、ニス層とマットインキ層を塗り分けて形成したものにあっては、マットインキ層とニス層との密着性の心配が無く、ニス層中へのシリコーン等の滑り剤の添加量を増すことができ、非潜像部の鉛筆筆記性をより一層低下させることができると共に、非潜像部であるニス層と潜像部であるマットインキ層が平坦化されるため、潜像パターンを見えにくくすることもできる。
【図面の簡単な説明】
【図１】本発明の鉛筆出し印刷物の一例を示す断面図である。
【図２】本発明の鉛筆出し印刷物の別の例を示す断面図である。
【図３】本発明の鉛筆出し印刷物の別の例を示す断面図である。
【符号の説明】
１  印刷基材
２  色インキ層
３  ＯＰニス層
４  マットインキ層
５  鉛筆の粉
【図１】
0004406129.tif 000003
【図２】
0004406129.tif 000004
【図３】
0004406129.tif 000005